(57)【要約】【課題】鉋身を脱落させることなく安全に保管及び取り出しをすることができる鉋を提供する。【解決手段】建材用ボードの縁部と当接可能な案内溝３１が下端に形成され、この案内溝３１の一部に鉋身８０の刃先８１を露出させる刃口部６０が形成された鉋台２０と、刃口部６０から刃先８１を露出させるように鉋身８０を鉋台２０の上面に載置し、着脱自在に固定する鉋身装着部と、を備えた鉋１０は、鉋台の上面に開口し、この上面と交差する方向に鉋身８０を着脱自在に収納保持する鉋身保持構造５０によって、鉋身８０の刃先８１を下端Ｄ側へ向けて安全に収納し、脱落を防止する。【選択図】図５
2019093652.tif 000002
【特許請求の範囲】
【請求項１】
被切削対象の縁部と当接可能な案内溝が下端に形成され、この案内溝の一部に鉋身の刃先を露出させる刃口部が形成された鉋台と、
前記刃口部から刃先を露出させるように前記鉋身を前記鉋台の上面に載置し、着脱自在に固定する鉋身装着部と、
前記鉋台の上面に開口し、この上面と交差する方向に鉋身を着脱自在に収納保持する鉋身保持構造と、
を備えることを特徴とする鉋。
【請求項２】
請求項１に記載の鉋において、
前記鉋身保持構造は、前記案内溝の長手方向に沿って設けられていることを特徴とする鉋。
【請求項３】
請求項１又は２に記載の鉋において、
前記鉋身保持構造は、複数枚の前記鉋身を収納できる幅を有していることを特徴とする鉋。
【請求項４】
請求項１ないし３のいずれか一に記載の鉋において、
前記鉋身保持構造は、前記鉋台と一体に樹脂成形され、前記鉋身保持構造の内部空間の幅を狭める方向に弾性復元力を発揮する舌片を含むことを特徴とする鉋。
【請求項５】
請求項１ないし４のいずれか一に記載の鉋において、
前記鉋身保持構造は、前記鉋台の上面開口部分に収納保持された前記鉋身の上端よりも低くなる指かけ部を有していることを特徴とする鉋。
【請求項６】
請求項５に記載の鉋において、
前記指かけ部は、前記鉋台の上面開口部分に設けられた凹みであることを特徴とする鉋。
【発明の詳細な説明】
【技術分野】
【０００１】
本発明は、建物の内装工事などに使用する建材用ボードの面取り又は小口等を切削するための鉋に関する。
【背景技術】
【０００２】
従来より、建物の内装工事などに使用する石膏ボード等の建材用ボードを面取りする工具として種々の鉋が用いられている。これらの鉋の中には、刃研ぎ作業が不要である、コストが安い、といった理由から市販のカッター刃を鉋身に用いているものがある。
【０００３】
ここで、市販のカッター刃は、その長さが長尺であること等から、そのまま鉋の鉋身に用いることが適切でない場合がある。そのため、カッター刃を鉋身として用いるに際しては、例えば、カッター刃を二つ折りし、一のカッター刃片を鉋身として用い、他のカッター刃片を替え刃として別途保管するといった工夫がなされている。
【０００４】
この点、特許文献１の鉋は、鉋台の上端に設けられた刃体押さえ部にカッター刃を差し込み、カッター刃を固定することで、カッター刃を所望の位置で確実に折ることができるようにしている。また、カッター刃を折った後に、刃体押さえ部に残ったカッター刃片は、鉋身の替え刃として、そのまま保管することもできる。
【先行技術文献】
【特許文献】
【０００５】
【特許文献１】特開２０１５−１７４２７８号公報
【発明の概要】
【発明が解決しようとする課題】
【０００６】
しかし、カッター刃は、その表面に形成された刃折り溝に沿って折る必要があることから、特許文献１の鉋の刃体押さえ部は、カッター刃を鉋台に対して水平に固定している。
【０００７】
そのため、替え刃を使用する際には、カッター刃の表面と裏面とを指先で摘むようにして刃体押さえ部からカッター刃を取り出さなければならず、指先がカッター刃の刃先に触れるおそれがある。
【０００８】
また、刃体押さえ部は、カッター刃を確実に折ることを目的として、カッター刃を固定しているため、刃体押さえ部に保管した替え刃（カッター刃）を取り出すことが難しい。特に、カッター刃は、薄く滑りやすい金属板で構成されているため、指先で刃体押さえ部から取り出すことが難しく、無理にカッター刃を取り出そうとすると、誤ってカッター刃の刃先に触れる可能性も高まる。
【０００９】
これに対して、刃体押さえ部のカッター刃に対する固定力を低くすることで、カッター刃の取り出しが簡単になるものの、替え刃が鉋台から脱落し、紛失する等といった問題も生ずる。
【００１０】
本発明の課題は、鉋身を脱落させることなく安全に保管及び取り出しをすることができる鉋を提供することにある。
【課題を解決するための手段】
【００１１】
本発明の鉋は、被切削対象の縁部と当接可能な案内溝が下端に形成され、この案内溝の一部に鉋身の刃先を露出させる刃口部が形成された鉋台と、前記刃口部から刃先を露出させるように前記鉋身を前記鉋台の上面に載置し、着脱自在に固定する鉋身装着部と、前記鉋台の上面に開口し、この上面と交差する方向に鉋身を着脱自在に収納保持する鉋身保持構造と、を備えることによって、上記課題を解決する。
【発明の効果】
【００１２】
本発明の鉋によれば、刃先を鉋台の下端側に向けて鉋身を鉋身収納溝に収納することができるため、鉋身を安全に保管することができ、かつ、鉋身保持部が鉋身を保持するため、鉋身が脱落することもない。
【図面の簡単な説明】
【００１３】
【図１】第一の実施の形態の鉋を上端側から見た平面図。
【図２】第一の実施の形態の鉋を台尻側から見た正面図。
【図３】第一の実施の形態の鉋を下端側から見た底面図。
【図４】第一の実施の形態の鉋の側面図。
【図５】第一の実施の形態の鉋のカバー部材を開いた状態を示す斜視図。
【図６】図５における収納構造を拡大して示す斜視図。
【図７】図６における収納構造に鉋身を挿入した状態を示す斜視図。
【図８】第二の実施の形態の鉋の収納構造を拡大して示す斜視図。
【図９】他の実施の形態の鉋を上端側から見た平面図。
【図１０】（ａ）、（ｂ）ともに、他の実施の形態の鉋の収容構造を拡大して示す斜視図。
【発明を実施するための形態】
【００１４】
次に、実施の一形態を図１ないし図７に基づいて説明する。
【００１５】
本実施の形態の鉋１０の概要について説明する。
鉋１０には、鉋台２０の上端Ｕにカバー部材７０が設けられ、鉋台２０の下端Ｄに台頭Ｔから台尻Ｂにかけて建材用ボードの角と当接する案内溝３１が形成されている。案内溝３１の長さ方向の途中には、鉋台２０に装着した鉋身８０の刃先８１が露出する刃口部６０が形成されている。
【００１６】
この鉋１０は、使用者が鉋台２０及びカバー部材７０を手のひらで保持し、不図示の建材用ボードの角に案内溝３１を当接させ、図１における右方向へ鉋台２０及びカバー部材７０を引くと、露出した刃先８１が建材用ボードの角に突き当り、角を削る。このようにして、鉋１０は、建材用ボードの角の面取りを行う。
【００１７】
次に、本実施の形態の鉋１０の構成について説明する。本実施の形態の鉋１０は、鉋の基本的な構造を構成する鉋構造５０１と、この鉋構造５０１を覆うカバー部材７０と、カバー部材７０が不用意に開くことを規制するラッチ構造５０２と、鉋身８０を着脱する着脱構造５０３と、鉋屑を排出する排出構造５０４と、鉋身８０の収納構造５０と、収納した鉋身８０が脱落することを防止する脱落防止構造５０５と、を備える。以下、各構造について説明する。
【００１８】
１．（１）鉋構造
鉋構造５０１は、平面長方形状をなす鉋台２０と、建材用ボードの面取りを行う鉋身８０と、からなる。
【００１９】
鉋台２０は、下端Ｄ側に建材用ボードの角と当接可能な案内溝３１が形成されたスライダ３０と、このスライダ３０の背面側に複数のネジ６１（図５参照）で締結されたボディ４０とからなる。
【００２０】
スライダ３０における案内溝３１は、図２及び図３に示すように、鉋台２０の台頭Ｔから台尻Ｂにかけて、鉋台２０の上端Ｕに対して４５度の傾斜角度をなして開口した一対の面取り用案内面３２を有する。また、案内溝３１の長さ方向の途中には、ボディ４０と連通する刃口部６０が形成されている。
【００２１】
鉋身８０は、市販の折刃式カッター刃を所要の長さ（図示の形態の場合は半分の長さ）に折ることで形成される。この鉋身８０は、薄い金属板からなるものであって、平行四辺形をなし、幅方向一側縁に鋭利な刃先８１が形成され、その反対側の縁が峰部８２となっている。
【００２２】
（２）カバー部材
カバー部材７０は合成樹脂材料で成形されたものであって、図１に示すように、鉋台２０におけるボディ４０の台頭Ｔ側の端部に、ヒンジ７１を介して開閉可能に設けられている。
【００２３】
（３）ラッチ構造
ラッチ構造５０２は、カバー部材７０に設けられた稼動係止部７４が鉋台２０に設けられた係止穴４７に係止することによってカバー部材７０が不用意に開くことを防止する。
【００２４】
稼動係止部７４は、カバー部材７０の一端の裏面に設けられ、つまみ７３によって回転操作可能とされている。
【００２５】
係止穴４７は、ボディ４０の台尻Ｂ側に形成され、カバー部材７０を閉じるとカバー部材７０に設けられた稼動係止部７４が係止穴４７内に入り込む。稼動係止部７４が係止穴４７に入り込んだ状態で、つまみ７３をＯ側へ回すとカバー部材７０と鉋台２０との係止状態が解除され、Ｌ側へまわすと鉋台２０と係止する。
【００２６】
（４）着脱構造
着脱構造５０３は、カバー部材７０の裏面に設けられた鉋身押さえ部７２と、ボディ４０の上端Ｕに設けられた鉋身装着座部４１に取り付ける刃出しガイド部材４４と、によって鉋身８０を鉋台２０に着脱可能に装着される。
【００２７】
鉋身押さえ部７２は、ゴム又はゴム状弾性体からなり、カバー部材７０を閉じた際に、鉋身８０の表面に圧接する（図５参照）ことで、鉋身８０を鉋台２０に対して押さえつける。
【００２８】
刃出しガイド部材４４は、直方体状の合成樹脂成形品であって、鉋身８０の峰部８２と当接し、刃口部６０における鉋身８０の刃出し量を規定する。
【００２９】
また、刃出しガイド部材４４には、幅方向の両端に段差状溝４６が形成されている。段差状溝４６は、幅方向両端が厚さ方向において互いに反対側を向く。これにより、刃出しガイド部材４４を表裏反転又は左右反転させることによって、刃出しガイド部材４４が鉋身８０の峰部８２と当接する位置、すなわち、鉋身８０の刃出し量を調整することができる。
【００３０】
また、図５に示すように、鉋身装着座部４１における刃口部６０から適当に離れた位置には、ガイド部材装着凹部４２が設けられる。ガイド部材装着凹部４２には、一対の係止ピン４３が設けられている。この一対の係止ピン４３に、刃出しガイド部材４４の幅方向一側に偏在して形成された一対の被係止部４５を係止することによって、刃出しガイド部材４４が鉋身装着座部４１に装着される。
【００３１】
また、鉋身装着座部４１の裏面には、磁力によって鉋身８０を吸引する不図示の磁石が設けられている。
【００３２】
（５）排出構造
排出構造５０４は、カバー部材７０に形成され、下端Ｄ側から上端Ｕ側にかけて漏斗状をなし、刃口部６０と連通する鉋屑排出口７５によって構成される。
【００３３】
（６）収納構造
収納構造５０は、ボディ４０の一側端に形成された鉋身収納溝５１とスライダ３０の裏面との間に空間を画成することで、鉋身８０を収納可能とする。また、収納構造５０から替え刃の取り出しを容易にするために凹み５５が形成されている。
【００３４】
図５及び図６に示すように、収納構造５０は、鉋身収納溝５１からスライダ３０の裏面にかけて、鉋台２０の上端Ｕに対して直交する方向に設けられている。そして、この収納構造５０は、図７に示すように、複数枚の鉋身８０を収納可能とする隙間及び鉋身８０を収納したときに、鉋身８０の上端（峰部８２）が鉋台２０の上端Ｕに隠れる深さを備えるとともに、鉋身８０がいずれの向きであっても収納可能とする長さを備える。
【００３５】
凹み５５は、鉋身収納溝５１の側壁５４からボディ４０の上端Ｕ一部にかけて、半円球状に切り欠くことで形成される。このとき、凹み５５は、収納構造５０に収納された鉋身８０の峰部８２よりも低い位置、すなわち、鉋身８０を取り出す際に、指先が鉋身８０の表面に触れる位置に形成されている。
【００３６】
（７）脱落防止構造
脱落防止構造５０５は、鉋身収納溝５１の開口端部５３に設けられた舌片５２からなる。舌片５２は、鉋身収納溝５１の隙間の幅を狭める方向に弾性復元力を発揮し、この舌片５２の弾性復元力は、少なくとも一枚の鉋身８０を収納構造５０に収納した際に密接し、収納構造５０に固定し続ける程度に設定されている。
【００３７】
次に、鉋台２０に鉋身８０を装着し、鉋１０を使用した後に、鉋身８０を交換するまでの一連の手順について説明する。
【００３８】
２．（１）装着手順
まず、市販の折刃式カッター刃を半分の長さに折る。一のカッター刃は、鉋身８０として用いるとともに、他のカッター刃は、鉋身８０の替え刃として用いる。
【００３９】
図１及び図５に示すように、カバー部材７０のつまみ７３をＯ側に回すと稼動係止部７４と係止穴４７との係止状態が解除され、ヒンジ７１を中心にしてカバー部材７０が開く。これにより、ボディ４０の上端Ｕに設けられた鉋身装着座部４１や収納構造５０が露出する。
【００４０】
鉋身８０は、その峰部８２が刃出しガイド部材４４に当たるようにして鉋身装着座部４１へ乗せられ、鉋身装着座部４１に設けられた磁石の磁気吸着力によって鉋身装着座部４１に保持される。これにより、カバー部材７０を閉める前に誤って鉋身８０が落下することがなくなる。なお、刃出しガイド部材４４は、その装着方向によって、鉋身８０の刃出し量を任意に変更することができる。
【００４１】
替え刃は、図７に示すように、刃先８１を下側（図５における鉋台２０の下端Ｄ側）に向けて収納構造５０の鉋身収納溝５１に差し込むことで収納される。このとき、鉋身収納溝５１の開口端部５３に形成された舌片５２が鉋身８０に対して弾性復元力を発揮し、この鉋身８０を収納構造５０に固定する。
【００４２】
その後、ヒンジ７１を中心にカバー部材７０を閉め、つまみ７３をＬ側に回すと稼動係止部７４と係止穴４７とが係止し、カバー部材７０が鉋台２０に固定される。
【００４３】
（２）使用手順
鉋身８０が装着された鉋１０は、スライダ３０における案内溝３１を不図示の建材用ボードの角に当てて鉋台２０及びこれと一体のカバー部材７０を図１における右方向へ引くことで、刃口部６０から案内溝３１内へ突出した鉋身８０が、建材用ボードの角を切削する。
【００４４】
このとき、図５に示すように、鉋身８０の峰部８２が刃出しガイド部材４４に支えられ、鉋身８０の表面が鉋身押さえ部７２を介してカバー部材７０に固定されているため、切削抵抗によって鉋身８０がずれてしまうようなことはない。万一、鉋身８０がずれたり外れたりしても、鉋身装着座部４１全体がカバー部材７０で覆われているため、鉋身８０に直接手が触れることがなく、安全である。
【００４５】
切削した際に発生した鉋屑は、刃口部６０と連通する鉋屑排出口７５を通じて、鉋１０の外側に排出される。
【００４６】
（３）交換手順
次に、カッター刃からなる鉋身８０が消耗すること等によって、交換する必要が生じたときには、上記手順と同様にカバー部材７０を開き、鉋身装着座部４１から使用済みの鉋身８０を取り除く。
【００４７】
その後、予め収納構造５０に収納された替え刃となる鉋身８０を収納構造５０から取り出し、替え刃をその峰部８２が刃出しガイド部材４４に当たるようにして鉋身装着座部４１へ乗せる。
【００４８】
収納構造５０の上端Ｕに形成された凹み５５に指先をかけることで、指先で替え刃を摘むように取り出すことができる。替え刃を収納構造５０から取り出した後は、使用済みの鉋身８０を収納構造５０に収納してもよく、新たな替え刃を収納構造５０に補充しても良い。また、収納構造５０に収納する鉋身８０については、複数枚収納しても良い。このとき、収納構造５０は、鉋身８０がいずれの向きであっても収納可能とする長さを備えるため、鉋身８０を収納する方向については、使用者が適宜決めてよい。例えば、替え刃とする鉋身８０と使用済みの鉋身８０の収納方向を変えるといった使用方法が考えられる。
【００４９】
その後、上記手順と同様にカバー部材７０を閉めることで、作業が完了する。
【００５０】
以上により、本実施の形態の鉋１０によれば、鉋身８０の替え刃又は使用済みの鉋身８０について、刃先８１を下端Ｄ側に向けて収納構造５０に収納することができる。そのため、刃先８１が露出しない、すなわち、鉋身８０の交換する際に、刃先８１が指先に触れるおそれがない状態で収納構造５０に収納することができる。これにより、鉋身８０を安全に保管することができる。
【００５１】
また、本実施の形態の鉋１０によれば、収納構造５０の側壁５４及びボディ４０の上端Ｕの一部に凹み５５が形成されている。そのため、鉋台２０の上端Ｕに隠れるようにして収納された薄い金属板の鉋身８０を指先で摘むように収納構造５０から容易に取り出すことができる。ボディ４０の上端Ｕの一部にのみ凹み５５が形成されているため、収納構造５０から露出する鉋身８０の割合を僅かとし、誤って鉋身８０に触れる可能性を低減させることができる。
【００５２】
また、案内溝３１と交差する方向に鉋身８０を収納しようとする場合には、収納構造５０に収納した鉋身８０が案内溝３１に干渉しないようにしなければならない。その分、鉋台２０の幅が増大するか、あるいは厚みが増大することになり、鉋台２０が大型化してしまう。これに対して、本実施形態の鉋１０は、案内溝３１の長手方向に沿って鉋身８０を収納するので、収納構造５０に収納した鉋身８０が案内溝３１に干渉せず、鉋台２０の大型化を防止することができる。
【００５３】
また、本実施の形態の鉋１０によれば、収納構造５０に複数枚の鉋身８０を収納することができるため、鉋身８０を交換する度にカッター刃を折って替え刃を用意する又は使用済みの鉋身８０をその都度処分するといった作業が不要になる。
【００５４】
また、本実施の形態の鉋身８０によれば、舌片５２が収納構造５０に収納された鉋身８０を弾性復元力によって固定することができるため、収納構造５０から鉋身８０が脱落することもない。
【００５５】
次に、鉋１０の第二の実施の形態を説明する。第一の実施の形態と同一部分は同一符号で示し、説明も省略する。
【００５６】
図８に示すように、本実施の形態の鉋１０は、脱落防止構造５０５として、収納構造５０に鉋身８０を固定するための磁石５６が設けられている。
【００５７】
すなわち、本実施の形態の鉋１０によれば、収納構造５０に収納された鉋身８０は、磁石の磁力によって収納構造５０内に吸引、固定されるため、鉋身８０が脱落することがなくなる。
【００５８】
なお、上記第一の実施の形態及び第二の実施の形態の鉋１０は、建材用ボードの切削に限らず、例えば板材の端部切削や、木材の面取り等といった鉋身を交換することができる種々の鉋に用いることができる。
【００５９】
上記第一の実施の形態及び第二の実施の形態の鉋１０の収納構造を設ける方向は、鉋台２０の上面に対して直交する方向に設ける場合に限られず、傾斜する方向に設けてもよい。
【００６０】
上記第一の実施の形態及び第二の実施の形態の鉋１０には、必ずしもカバー部材７０を設ける必要がなく、鉋台２０の上端Ｕが剥きだしのままであってもよい。この場合、カバー部材７０に設けられた鉋身押さえ部７２によって鉋身８０を鉋台２０に押さえつけ、固定することができない。その代わりとして、図９に示すように、鉋台２０に設けられた押え板７２ｂをネジ７２ａで締め付けることで、鉋身８０を鉋台２０に直接押さえつけ、固定してもよい。
【００６１】
収納構造５０に収容された鉋身８０を固定する構造としては、上記第一の実施の形態及び第二の実施の形態の鉋１０の舌片５２や磁石５６に限定されず、例えば、収納構造５０に別部材の板バネ等を設けることで、鉋身８０を固定しても良い。
【００６２】
収納構造５０に設けられた凹み５５は、鉋身８０を容易に取り出すための構造であり、鉋台２０の上面開口部分に収納保持された鉋身８０の上端よりも低くなる指かけを構成する。実施に際しては、必ずしもこのような指かけ部を設ける必要はない。もっとも、指かけ部を設ける場合には、凹み５５に限定されず、例えば、図１０（ａ）に示すように、鉋身収納溝５１の開口端部５３に段差状の段部５５ａを設けてもよく、図１０（ｂ）に示すように、収納構造５０に収容された鉋身８０の峰部８２の高さが鉋身収納溝５１の開口端部５３の高さを上回るようにしてもよい。
【符号の説明】
【００６３】
１０      鉋
２０      鉋台
３０      スライダ
３１      案内溝
３２      面取り用案内面
４０      ボディ
４１      鉋身装着座部
４２      ガイド部材装着凹部
４３      係止ピン
４４      刃出しガイド部材
４５      被係止部
４６      段差状溝
４７      係止穴
５０      収納構造
５１      鉋身収納溝
５２      舌片
５３      開口端部
５４      側壁
５５      凹み（指かけ部）
５５ａ    段部（指かけ部）
５６      磁石
６０      刃口部
６１      ネジ
７０      カバー部材
７１      ヒンジ
７２      鉋身押さえ部
７２ａ    ネジ
７２ｂ    押え板
７３      つまみ
７４      稼動係止部
７５      鉋屑排出口
８０      鉋身
８１      刃先
８２      峰部
Ｕ        上端
Ｄ        下端
Ｔ        台頭
Ｂ        台尻
【図１】
2019093652.tif 000003
【図２】
2019093652.tif 000004
【図３】
2019093652.tif 000005
【図４】
2019093652.tif 000006
【図５】
2019093652.tif 000007
【図６】
2019093652.tif 000008
【図７】
2019093652.tif 000009
【図８】
2019093652.tif 000010
【図９】
2019093652.tif 000011
【図１０】
2019093652.tif 000012